(57)【要約】【課題】好適な換気性能を有しながらも高い耐火性能及び防火性能を有し、かつ、デザイン性に優れ、製造コストを軽減することができる軒天換気材を提供する。【解決手段】上記課題を解決するために、軒天換気材１は、１枚の金属板を折曲させてなり、底板部１０、底板部１０の前端から上方に立ち上がって延設された前板部１１、前板部１１上端から延設された第１上板部１２、第１上板部１２後端から延設され、複数の第１通気孔１３１が形成された第１傾斜板部１３、第１傾斜板部１３下端から延設され、上端で折り返されて二重に形成された雨返し板部１４、雨返し板部１４下端から延設され、軒天板部材を係止するための係止部１５、係止部１５下端から第１上板部１２まで延設され、その中途に横板部１８が形成され、横板部１８より上部位置に、複数の第２通気孔１６１が形成された第２傾斜板部１６、第２傾斜板部１６上端から延設された第２上板部１７を有する。【選択図】図３
2016008452.tif 000002
【特許請求の範囲】
【請求項１】
１枚の金属板を折り曲げ加工してなる、建物の小屋裏の換気を行うための軒天換気材であって、
底板部、
前記底板部の前端から屈曲するように上方に立ち上がって延設された前板部、
前記前板部の上端から後方に屈曲するように、前記前板部の上端から延設された第１上板部、
前記第１上板部の後端から後側斜め下方に屈曲されるように、前記第１上板部の後端から延設された第１傾斜板部、
前記第１傾斜板部の下端から後側斜め上方に屈曲されるように、前記第１傾斜板部の下端から延設され、上端で折り返されて二重に形成された雨返し板部、
前記雨返し板部の下端から下方に屈曲されるように、前記雨返し板部の下端から延設され、軒天板部材を係止するための係止部、
前記係止部の下端から前側斜め上方に屈曲されるように、前記係止部の下端から前記第１上板部まで延設された第２傾斜板部、及び
前記第２傾斜板部の上端から前方に屈曲されるように、前記第２傾斜板部の上端から延設された第２上板部を有し、
前記第１傾斜板部には、複数の第１通気孔が形成され、
前記第２傾斜板部の中途には、この中途から前方に屈曲されるようにして延設され、前端で折り返されて二重に形成された横板部が設けられ、
前記第２傾斜板部における前記横板部より上部の位置には、複数の第２通気孔が形成されている、
ことを特徴とする軒天換気材。
【請求項２】
前記第１上板部及び前記第２上板部それぞれに、固定部材を挿入させるための貫通孔が形成されている、
ことを特徴とする請求項１に記載の軒天換気材。
【請求項３】
前記第２傾斜板部が、前記第１傾斜板部と離間して形成されている、
ことを特徴とする請求項１又は２に記載の軒天換気材。
【請求項４】
前記横板部の前端が、前記底板部の後端及び前記第２傾斜板部の上端よりも前方に位置する、
ことを特徴とする請求項１から３の何れかに記載の軒天換気材。
【請求項５】
前記第１傾斜板部に形成された前記第１通気孔が、前記雨返し板部の下端から上端に向かって延設された、
請求項１から４の何れかに記載の軒天換気材。
【発明の詳細な説明】
【技術分野】
【０００１】
本発明は、建物の小屋裏の換気を行うための軒天換気材に関する。
【背景技術】
【０００２】
従来より、木造住宅等の小屋裏の湿気や熱気を排出するために、軒天の軒先や壁際に軒天換気材が設置されている。このような軒天換気材としては、特許文献１、及び特許文献２に開示されているように、水平に形成された底部に複数のスリット孔（通気孔）を設けることで、換気効率を確保するとともにコウモリ等の小動物の侵入を防止するような構造となっている。
【先行技術文献】
【特許文献】
【０００３】
【特許文献１】特開２００６−１４４４９６号公報
【特許文献２】特開２００６−１４４４９７号公報
【発明の概要】
【発明が解決しようとする課題】
【０００４】
近年、我が国の住宅事情により、隣り合う家屋同士が密接して建てられることが増えている。このため、万一隣の家屋で火災が発生した場合に、隣の家屋から小屋裏に延焼することを防止するため、軒天換気材には、換気面積を確保することで好適な換気性能を有しながらも、耐火性能、防火性能が要求されるようになってきている。
【０００５】
また、従来の軒天換気材では、通気孔が外部に顕にされており、デザイン性を損ねている。更に、通気孔が形成された底部が水平になっていることも、顕にされた通気孔が人目につき易くなるため、デザイン性を損ねる原因となっている。
【０００６】
更に、従来の軒天換気材は、板金を組み合わせて製造しているために、製造コストが高くなる。
【０００７】
そこで、本発明は、好適な換気性能を有しながらも高い耐火性能及び防火性能を有し、かつ、デザイン性に優れ、製造コストを軽減することができる軒天換気材を提供することである。
【課題を解決するための手段】
【０００８】
（１）上記課題を解決するために、本発明は、１枚の金属板を折り曲げ加工してなる、建物の小屋裏の換気を行うための軒天換気材であって、底板部、底板部の前端から屈曲するように上方に立ち上がって延設された前板部、前板部の上端から後方に屈曲するように、前板部の上端から延設された第１上板部、第１上板部の後端から後側斜め下方に屈曲されるように、第１上板部の後端から延設された第１傾斜板部、第１傾斜板部の下端から後側斜め上方に屈曲されるように、第１傾斜板部の下端から延設され、上端で折り返されて二重に形成された雨返し板部、雨返し板部の下端から下方に屈曲されるように、雨返し板部の下端から延設され、軒天板部材を係止するための係止部、係止部の下端から前側斜め上方に屈曲されるように、係止部の下端から第１上板部まで延設された第２傾斜板部、及び第２傾斜板部の上端から前方に屈曲されるように、第２傾斜板部の上端から延設された第２上板部を有する。そして、第１傾斜板部には、複数の第１通気孔が形成される。第２傾斜板部の中途には、この中途から前方に屈曲されるようにして延設され、前端で折り返されて二重に形成された横板部が設けられる。前記第２傾斜板部における横板部より上部の位置には、複数の第２通気孔が形成されている。
【０００９】
上記構成によれば、軒天換気材において、外部から、底板部の後端と係止部の下端との間を通り、それから、底板部の上面と横板部の下面との間、第１及び第２上板部の下面と横板部の上面との間に形成される通気空間を通り、第２傾斜板部の第２通気孔から第１傾斜板部の第１通気孔を通って、小屋裏へ通じる通気路が形成される。この様な構成を有する軒天換気材を、１枚の金属板を用いて形成することができるため、軒天換気材の製造コストを軽減することができる。
【００１０】
また、１枚の金属板を用いて形成するとともに、上板を、第１及び第２上板部で二重に構成しているため、この第１及び第２上板部とを固定することで、係止部に軒天板部材を係止させて取り付けたときに、第２傾斜板部及び横板部が垂れ下がったりして変形することを防止でき、軒天換気材が変形することなく各部位が適正な姿勢を保つことが出来る。
【００１１】
第１及び第２通気孔を第１及び第２傾斜板部に形成するため、軒天換気材の前後方向の寸法をコンパクトにしながらも、第１及び第２通気孔の面積を広く確保することができる。更に、横板部が第２通気孔の下方に設けられており、この横板部及び通気孔が設けられていない第２傾斜板部の下部によって第１及び第２通気孔を外部に顕にすることが防止される。このため、隣の家屋の火災時に、炎が第１及び第２通気孔から侵入することが防止され、軒天換気材が好適な換気性能を有しながらも高い耐火性能及び防火性能を有したものとなる。更に、横板部及び第２傾斜板部の下部によって第１及び第２通気孔を外部に顕にすることが防止されるため、横板部によって、雨水が第１及び第２通気孔に侵入することが防止され、雨水が第１及び第２通気孔に侵入することが軽減される。また、横板部によって第１及び第２通気孔を外部に顕にすることが防止されるため、第１及び第２通気孔が人目につき難く、建物に取り付けた状態の軒天換気材がデザイン性に優れたものとなる。
【００１２】
（２）上記第１上板部及び上記第２上板部それぞれに、固定部材を挿入させるための貫通孔が形成されていてもよい。
【００１３】
上記構成によれば、第１及び第２上板部に形成された貫通孔に固定部材（例えば、ビス等）を挿入して、固定部材によって、第１上板部と第２上板部を建物（例えば鼻かくし用下地等）に固定することができる。このため、第１及び第２上板部を一度に建物に取り付けることができる。更に、第１上板部と第２上板部を固定部材によって建物に取り付けることで、同時に、第１及び第２上板部を互いに固定することができ、軒天換気材が変形することなく各部位が適正な姿勢を保つことができる。この様に、貫通孔によって、第１上板部及び第２上板部の建物への取り付け、及び第１上板部及び第２上板部を互いに固定することを一度に行うことができ、取付け作業が容易になる。
【００１４】
（３）上記第２傾斜板部が、第１傾斜板部と離間して形成されていてもよい。この構成によれば、万一、第２傾斜板部の第２通気孔に炎や雨水が侵入した場合でも、この炎や雨水が第１傾斜板部の第１通気孔に侵入し難くなる。このため、炎や雨水が建物に侵入することを一層防止することができる。
【００１５】
（４）上記横板部の前端が、底板部の後端及び第２傾斜板部の上端よりも前方に位置してもよい。
【００１６】
上記構成によれば、下方から視認したときに、第２通気孔が横板部によって、完全に覆われる。このため、第２通気孔が全く視認できなくなり、デザイン性に優れた軒天換気材を提供することができる。また、通気路を延長することができ、炎や雨水が建物に侵入することを一層防止することができる。
【００１７】
（５）上記第１傾斜板部に形成された第１通気孔が、雨返し板部の下端から上端に向かって延設されてもよい。
【００１８】
上記構成によれば、金属板を折り曲げ加工する再に、確実に第１傾斜板部の下端まで伸びた第１通気孔を形成することができ、内部に雨水が侵入したとしても、確実に排出することができる。
【発明の効果】
【００１９】
上記構成によれば、好適な換気性能を有しながらも高い耐火性能及び防火性能を有し、かつ、デザイン性に優れ、製造コストを軽減することができ、雨水の侵入を軽減可能な軒天換気材を提供することができる。
【図面の簡単な説明】
【００２０】
【図１】本実施形態に係る軒天換気材を建物に取付けた状態を示す図である。
【図２】本実施形態に係る軒天換気材の平面図である。
【図３】図２に示す軒天換気材のＡ−Ａ矢視断面図である。
【図４】図２における拡大平面図に対応した、本実施形態の係る軒天換気材の底面図である。
【図５】軒天換気材１を形成するための金属板を示す。
【図６】変形例に係る軒天換気材の断面図である。
【発明を実施するための形態】
【００２１】
以下、本発明の好適な一実施形態について、図面を参照しつつ説明する。
（軒天換気材の全体構成）
図１、図２及び図３を用いて本実施形態にかかる軒天換気材の全体構成を説明する。図１は、本実施形態に係る軒天換気材を建物に取付けた状態を示す図である。図２は、本実施形態に係る軒天換気材の平面図である。図３は、図２に示す軒天換気材のＡ−Ａ矢視断面図である。なお、本明細書において、図１及び図３における左方を「前方」、右方を「後方」、紙面に直交する奥方を「右方」、紙面に直交する前方を「左方」として説明する。
【００２２】
図１に示すように、本実施形態に係る軒天換気材１は、建物１００の軒３００に設置され、建物１００の小屋裏４００の換気を行うための部材である。
建物１００では、外装材２００（本発明の「外壁」の一例）が柱に取り付けられて垂直方向に立ち上がるように形成されているとともに、軒３００が外装材２００から前方に突出して下方に向かって傾斜するように形成されている。軒３００の軒先に、軒天換気材１が取り付けられる。なお、本実施形態では、軒天換気材１を軒３００の軒先に取り付けているが、軒天換気材１を軒３００の壁際に取り付けてもよい。
【００２３】
軒天換気材１の取り付け構造を説明する。軒３００における垂木５００の先端には、鼻隠し用下地６００Ａを介して、鼻隠し６００が取り付けられる。鼻隠し用下地６００Ａの下面に、軒天換気材１の上板部（図３の第１上板部１２及び第２上板部１７）が固定部材（ビス等）７００を介して固定される。また、軒３００の下部において、外装材２００の上端の上方から水平に突出するように、軒天板部材８００（例えば軒天ボード）が設けられている。軒天板部材８００の先端が軒天換気材１の係止部１５に係止され、軒天板部材８００の先端に軒天換気材１が取付けられる。この際、例えば、軒天板部材８００の先端と軒天換気材１の係止部１５との間に、コーキング材を充填して取付けを行ってもよい。
【００２４】
図２で示すように軒天換気材１は、例えば、全長約２７３０ｍｍの長尺状の部材であり、長手方向が建物１００の幅方向に一致するように、外装材２００に取り付けられる。
【００２５】
図３で示すように、軒天換気材１は、一枚の金属板（例えば、ガルバリウム鋼板製等）を屈曲して形成され、軒天換気材の製造コストを軽減することができるようになっている。軒天換気材１は、底板部１０、底板部１０の前端から屈曲するように上方に立ち上がって延設された前板部１１、前板部１１の上端から後方に屈曲するように、前板部１１の上端から延設された第１上板部１２、第１上板部１２の後端から後側斜め下方に屈曲されるように、第１上板部１２の後端から延設された第１傾斜板部１３、第１傾斜板部１３の下端から後側斜め上方に屈曲されるように、第１傾斜板部１３の下端から延設され、上端で折り返されて二重に形成された雨返し板部１４、雨返し板部１４の下端から下方に屈曲されるように、雨返し板部１４の下端から延設され、軒天板部材８００を係止するための係止部１５、係止部１５の下端から前側斜め上方に屈曲されるように、係止部１５の下端から第１上板部１２まで延設された第２傾斜板部１６、及び第２傾斜板部１６の上端から前方に屈曲されるように、第２傾斜板部１６の上端から延設された第２上板部１７を有する。
【００２６】
そして、第１傾斜板部１３には、複数の第１通気孔１３１が形成されている。そして、第２傾斜板部１６の中途には、この中途から前方に屈曲されるようにして延設され、前端で折り返されて二重に形成された横板部１８が設けられており、第２傾斜板部１６における横板部１８より上部の位置には、複数の第２通気孔１６１が形成されている。
【００２７】
上記構成によれば、軒天換気材１において、外部から、底板部１０の後端と係止部１５の下端との間を通り、それから、底板部１０の上面と横板部１８の下面（下側横板部１８２の下面）との間、第２上板部１７の下面と横板部１８の上面（上側横板部１８１の上面）との間に形成される通気空間を通り、第２傾斜板部１６の第２通気孔１６１から第１傾斜板部１３の第１通気孔１３１を通って、小屋裏４００へ通じる通気路が形成される。この通気路を通る空気の流れを図１において一点鎖線の矢印で示している。
【００２８】
軒天換気材１は、１枚の金属板を用いて形成するとともに、上面を、第１及び第２上板部１２、１７で二重に構成しているため、この第１及び第２上板部１２、１７とを固定することで、係止部１５に軒天板部材８００を係止させて取り付けたときに、第２傾斜板部１６及び横板部１８が垂れ下がったりすることなく、軒天換気材１の各部位が適正な姿勢を保つことが出来る。
【００２９】
また、第１及び第２通気孔１３１、１６１を第１及び第２傾斜板部１３、１６に形成するため、軒天換気材１の前後方向の寸法をコンパクトにしながらも、第１及び第２通気孔１３１、１６１の面積を広く確保することができる。更に、横板部１８が第１及び第２通気孔１３１、１６１の下方に設けられており、この横板部１８及び第２傾斜板部１６の横板部１８より下の部分によって第１及び第２通気孔１３１、１６１を外部に顕にすることが防止される。このため、隣の家屋の火災時に、炎が第１及び第２通気孔１３１、１６１から侵入することが防止され、軒天換気材１が好適な換気性能を有しながらも高い耐火性能及び防火性能を有したものとなる。更に、横板部１８によって第１及び第２通気孔１３１、１６１を外部に顕にすることが防止されるため、横板部１８によって、雨水が第１及び第２通気孔１３１、１６１に侵入することが防止され、雨水が第１及び第２通気孔１３１、１６１に侵入することが軽減される。また、横板部１８によって第１及び第２通気孔１３１、１６１を外部に顕にすることが防止されるため、第１及び第２通気孔１３１、１６１が人目につき難く、建物１００に取り付けた状態の軒天換気材１がデザイン性に優れたものとなる。
【００３０】
本実施形態では、第１上板部及び第２上板部１２、１７それぞれに、固定部材を挿入させるための貫通孔１２１、１７１が所定の間隔で形成されている。なお、貫通孔１２１と貫通孔１７１は、平面視において同じ位置に形成されており、互いに重なるようになっている。
【００３１】
上記構成によって、第１及び第２上板部１２、１７に形成された貫通孔１２１、１７１に固定部材７００（例えば、ビス等）を挿入して、固定部材７００を建物１００に打ち込むことによって、第１上板部１２と第２上板部１７を建物１００（鼻かくし用下地６００Ａ）に固定することができる。このため、第１及び第２上板部１２、１７を一度に建物１００に取り付けることができる。更に、建物１００に固定部材７００によって取り付けることで、同時に、第１及び第２上板部１２、１７を互いに固定することができ、軒天換気材１が変形することなく各部位が適正な姿勢を保つことができる。この様に、貫通孔１２１、１７１によって、第１上板部１２及び第２上板部１７の建物１００への取り付け、及び第１上板部１２及び第２上板部１７を互いに固定することが一度に出来、取付け作業が容易になる。
【００３２】
また、本実施形態では、第２傾斜板部１６が、第１傾斜板部１３と離間して形成されている。この構成によれば、万一、第２傾斜板部１６の第２通気孔１６１に炎や雨水が侵入した場合でも、この炎や雨水が第１傾斜板部１３の第１通気孔１３１に侵入し難くなる。このため、炎や雨水が建物に侵入することを一層防止することができる。
【００３３】
本実施形態では、横板部１８の前端が、底板部１０の後端及び第２傾斜板部１６の上端よりも前方に位置する。これによって、下方から視認したときに、第２通気孔１６１が横板部１８によって、完全に覆われる。このため、第２通気孔１６１が全く視認できなくなり、デザイン性に優れた軒天換気材１を提供することができる。また、通気路の長さを長くでき、炎や雨水が建物に侵入することを一層防止することができる。
【００３４】
本実施形態では、第１傾斜板部１３に形成された第１通気孔１３１が、雨返し板部１４の下端から上端に向かって延設されている。これによれば、金属板を折り曲げ加工する再に、確実に第１傾斜板部１３の下端まで伸びた第１通気孔１３１を形成することができ、建物１００の内部に雨水が侵入したとしても、確実に排出することができる。
【００３５】
（軒天換気材１の各構成部の詳細説明）
以下に、図１から図４を用いて、軒天換気材１の各構成部、具体的には、底板部１０、前板部１１、第１上板部１２、第１傾斜板部１３、雨返し板部１４、係止部１５、第２傾斜板部１６、第２上板部１７及び横板部１８を詳細に説明する。図４は、図２における拡大平面図に対応した、本実施形態の係る軒天換気材１の底面図である。
【００３６】
（軒天換気材１の各構成部の詳細説明：底板部１０）
図１、図３及び図４を用いて、底板部１０について説明する。底板部１０は、軒天換気材１の底面を構成し、後部を上方向に折り返して二重にした平板状の部材である。底板部１０は、長手方向が左右方向に一致する長尺の長方形（例えば、２５ｍｍ×２７３０ｍｍの長方形）に形成されている。底板部１０は、建物１００に取り付けられた状態で、その長手方向が軒３００の突出方向と直交する方向に一致するように配置されるとともに、略水平に配置される。底板部１０には、第１上板部１２及び第２上板部１７に設けられた貫通孔１２１、１７１に対向させるように所定の間隔（例えば、４５５ｍｍの間隔）を開けて、平面視で円形（例えば、直径１３ｍｍの円形）の貫通孔である複数の取付け用孔１０１が形成されている。なお、両端の取付け用孔１０１は、それぞれ底板部１０の縁から所定の距離（例えば、２２７．５ｍｍ）を空けた位置に形成されている。この取付け用孔１０１は、軒天換気材１の内側から第１上板部１２及び第２上板部１７を建物１００（図１）の鼻隠し用下地６００Ａに取り付ける作業の際に使用され、取り付けた後にキャップ等によって塞がれる。
【００３７】
（軒天換気材１の各構成部の詳細説明：前板部１１）
図１及び図３を用いて、前板部１１の構成を説明する。前板部１１は、軒天換気材１の前面を構成し、長手方向が左右方向に一致する長尺の長方形（例えば、４０ｍｍ×２７３０ｍｍの長方形）の平板状に形成されている。前板部１１は、底板部１０の前縁から延設されて略垂直方向に延びるように形成されている。図１で示すように、軒天換気材１が建物１００に取り付けられた状態で、前板部１１は、その長手方向が軒３００の突出方向と直交する方向に一致するように配置されるとともに、鼻隠し６００の背面に接触するように配置される。
【００３８】
（軒天換気材１の各構成部の詳細説明：第１上板部１２）
図１から図３を参照して、第１上板部１２の構成を説明する。第１上板部１２は、軒天換気材１の上面を構成し、長手方向が左右方向に一致する長尺の長方形（例えば、３０ｍｍ×２７３０ｍｍの長方形）の平板状に形成されている。第１上板部１２は、前板部１１の上端から延設されて略水平に延びるように形成されている。図１で示すように、軒天換気材１が建物１００に取り付けられた状態で、第１上板部１２は、その長手方向が軒３００の突出方向と直交する方向に一致し、かつ、鼻隠し用下地６００Ａの底面に接触するように配置される。
【００３９】
第１上板部１２には、所定の間隔（例えば、４５５ｍｍの間隔）を開けて、平面視で円形（例えば、直径６ｍｍの円形）の複数の貫通孔１２１が形成されている。なお、両端の貫通孔１２１は、それぞれ第１上板部１２の縁から所定の距離（例えば、２２７．５ｍｍ）を空けた位置に形成されている。複数の貫通孔１２１は、建物１００の鼻隠し用下地６００Ａに第１上板部１２を取り付けるために使用され、軒天換気材１の内側からビス等の固定部材７００を挿入させる。この固定部材７００が鼻隠し用下地６００Ａに打ち込まれることで、第１上板部１２が鼻隠し用下地６００Ａに固定される。固定部材７００を軒天換気材１の内側から貫通孔１２１に挿入させるために、底板部１０に形成された取付け用孔１０１が使用される。従って、複数の取付け用孔１０１は、複数の貫通孔１２１に対応する位置に形成される。
【００４０】
（軒天換気材１の各構成部の詳細説明：第１傾斜板部１３）
図１から図３を参照して、第１傾斜板部１３の構成を説明する。第１傾斜板部１３は、例えば、長手方向が左右方向に一致する長尺の長方形（例えば、長手方向で２７３０ｍｍ）の平板状に形成されており、第１上板部１２の上端から延設されて後ろ斜め下方向に延びるように形成されている。なお、第１傾斜板部１３と第１上板部１２との間の角度（内側の角度）は、例えば、１２２．４°となっている。第１傾斜板部１３は、軒天換気材１が建物１００に取り付けられた状態で、その長手方向が軒３００の突出方向と直交する方向に一致するよう、配置される。
【００４１】
第１傾斜板部１３には、左右方向に並ぶように所定の間隔（例えば、２．５ｍｍ）を空けて複数の第１通気孔１３１が形成されている。第１通気孔１３１は、第１傾斜板部１３の上部から下端にわたって伸びるスリット状（例えば幅５ｍｍのスリット状）の貫通孔である。これらの複数の第１通気孔１３１は、建物１００の小屋裏４００との間の通気路となる。なお、詳細は後述するが、第１通気孔１３１は、雨返し板部１４まで延設されている。
【００４２】
（軒天換気材１の各構成部の詳細説明：雨返し板部１４）
図１から図３を参照して、雨返し板部１４の構成を説明する。雨返し板部１４は、第１傾斜板部１３の下端から上方に向かって延設され、長方形の板状部材が上端で折り返されて二重に形成された形状を有する。なお、二重の雨返し板部１４の上側を上側雨返し板部１４１と記載し、雨返し板部１４の下側を下側雨返し板部１４２と記載する。雨返し板部１４は、例えば、３０ｍｍ×２７３０ｍｍの寸法を有する。なお、雨返し板部１４は、建物１００に取り付けられた状態で、その長手方向が軒３００の突出方向と直交する方向に一致するように配置される。雨返し板部１４１は、前方を下にして傾斜するように形成されているため、建物１００内に侵入した雨水等を雨返し板部１６の上面に沿って下方に流してから、第１通気孔１３１を介して軒天換気材１側に排出することが可能になっている。
【００４３】
上述したように、第１通気孔１３１は、第１傾斜板部１３の上部から下端に向かって延びて、雨返し板部１４まで延設されている。具体的には、第１通気孔１３１は、上側雨返し板部１４１の下部まで延設され、上側雨返し板部１４１の下端から上端に向かって延設されている。これによって、金属板を折り曲げ加工する再に、確実に第１傾斜板部１３の下端まで伸びた第１通気孔１３１を形成することができ、建物１００の内部に雨水が侵入したとしても、確実に排出することができる。
【００４４】
（軒天換気材１の各構成部の詳細説明：係止部１５）
図１、図３及び図４を参照して、係止部１５の構成を説明する。係止部１５は、下側雨返し板部１４２の下縁から真下に向かって延設された第１部位１５１と、この第１部位１５１の下縁から延設されて後方に延びるように形成された第２部位１５２とを有する。第１部位１５１は、長方形（例えば、１２ｍｍ×２７３０ｍｍ）の板状部材であり、第１部位１５１と雨返し板部１４との間の後ろ側の角度は、例えば、１２０°である。なお、第１部位１５１は、建物１００に取り付けられた状態で、その長手方向が軒３００の突出方向と直交する方向に一致するように配置される。
【００４５】
第２部位１５２は、長方形（例えば、１３ｍｍ×２７３０ｍｍ）の平板状の部材を上端で折り返して二重に形成されている。なお、二重の第２部位１５２の上側を上側第２部位１５２１と記載し、第２部位１５２の下側を下側第２部位１５２２と記載する。上側第２部位１５２１の上面に軒天板部材８００の底面を配置し、第１部位１５１の後面に軒天板部材８００の側面を接触させた状態で係止される。このとき、必要に応じてコーギング材等を、軒天板部材８００と第１部位１５１の構面との間の隙間や軒天板部材８００と上側第２部位１５２１との間の隙間に充填することで、軒天板部材８００が係止部１５に固着されるようにしてもよい。
【００４６】
（軒天換気材１の各構成部の詳細説明：第２傾斜板部１６、横板部１８）
図１、図３及び図４を参照して、第２傾斜板部１６の構成を説明する。第２傾斜板部１６は、長手方向が左右方向に一致する長尺の長方形（例えば、長手方向で２７３０ｍｍ）の板状部材であり、係止部１５の下縁（下側第２部位１５２２の前縁）から前側斜め上方に第１上板部１２まで延設されている。なお、第２傾斜板部１６は、建物１００に取り付けられた状態で、その長手方向が軒３００の突出方向と直交する方向に一致するように配置される。第２傾斜板部１６は、第１傾斜板部１３と所定の間隔を空けて配置されており、第１傾斜板部１３と略平行に配置される。第２傾斜板部１６には、その短手方向の中途位置において、その中途位置から前方に屈曲するように延びる横板部１８が形成されている。横板部１８は、前端で折り返されて二重に形成されている。なお、二重の横板部１８の上側を上側横板部１８１と記載し、その下側を下側横板部１８２と記載する。下側横板部１８２と第２傾斜板部１６との下側の角度は、例えば、１２２．４°である。
【００４７】
前記第２傾斜板部１６における横板部１８より上部の位置には、所定の間隔を空けて左右方向に並ぶ複数の第２通気孔１６１が左右方向にわたって形成されている。第２通気孔１６１は、長手方向が左右方向に一致する長尺の長方形（例えば長手方向の寸法で３５．５ｍｍ）の貫通孔である。なお、本実施形態においては、第２通気孔１６１の左右方向の寸法は、第１通気孔１３１の複数個分（例えば、５個分）の左右方向の寸法を合算した寸法よりも大きくされているが、この構成に限定されない。第２通気孔１６１は、建物１００の外部から小屋裏４００への通気路となる。第２傾斜板部１６は、上述したように第１傾斜板部１３と間隔を空けて配置されているため、第２通気孔１６１に雨水や炎等が侵入した場合でも、この雨水や炎等が第１通気孔１３１に侵入することが効果的に防止される。
【００４８】
第２通気孔１６１は、第２傾斜板部１６の上端から中途位置まで延びるように形成され、上側横板部１８１の後部まで延設されている。なお、第２傾斜板部１６に形成された第２通気孔１６１を第２通気孔１６１ａと記載し、上側横板部１８１の後部に形成された第２通気孔１６１を第２通気孔１６１ｂと記載する。この様に、第２通気孔１６１が上側横板部１８１の後部まで延設されているため、金属板を折り曲げ加工する再に、確実に第２傾斜板部１６の下端まで伸びた第２通気孔１６１を形成することができ、第２通気孔１６１の通気可能な面積を広く確保することができる。また、第２の傾斜板部１６の下端部に所定間隔に水抜き孔を設けるようにしてもよい。
【００４９】
本実施形態では、横板部１８の前端が、底板部１０の後端及び第２傾斜板部１６の上端よりも前方に位置している。これによって、図４で示すように、下方から視認したときに、第２通気孔１６１が横板部によって、完全に覆われる。このため、第２通気孔１６１が全く視認できなくなり、デザイン性に優れた軒天換気材１を提供することができる。また、炎や雨水が建物１００に侵入することを一層防止することができる。
【００５０】
（軒天換気材１の各構成部の詳細説明：第２上板部１７）
図１から図３を参照して、第２上板部１７の構成を説明する。第２上板部１７は、長手方向が左右方向に一致する長尺の長方形（例えば、２０ｍｍ×２７３０ｍｍ）の平板状の部材であり、第２傾斜板部１６の上縁から前方に延設されるように形成されている。なお、第２上板部１７は、建物１００に取り付けられた状態で、その長手方向が軒３００の突出方向と直交する方向に一致するように配置される。第２上板部１７は、第１上板部１２と重なるように配置されている。この様に、軒天換気材１は、１枚の金属板を用いて形成するとともに、上板を、第１及び第２上板部１２、１７で二重に構成しているため、この第１及び第２上板部１２、１７とを固定することで、係止部１５に軒天板部材８００を係止させて取り付けたときに、軒天板部材８００の重み等によって、軒天換気材１が変形することなく各部位が適正な姿勢を保つことが出来るため、係止部１５が垂れ下がることを防止することができる。
【００５１】
本実施形態では、第２上板部１７には、所定の間隔（例えば、４５５ｍｍの間隔）を開けて、平面視で円形（例えば、直径５ｍｍの円形）の複数の貫通孔１７１が形成されている。複数の貫通孔１７１は、第１上板部１２の複数の貫通孔１２１と重なる位置に形成されている。この貫通孔１７１と貫通孔１２１とに、軒天換気材１の内側から固定部材７００を挿入して、鼻隠し用下地６００Ａに打ち込むことで、第１上板部１２と第２上板部１７とを鼻隠し用下地６００Ａに取り付けることが出来るとともに、第１上板部１２と第２上板部１７とを互いに固定することができる。これによって、第１及び第２上板部１２、１７を一度に建物１００に取り付けることができる。更に、建物１００に固定部材７００によって取り付けることで、同時に、第１及び第２上板部１２、１７を互いに固定することができ、軒天板部材８００の重み等によって、軒天換気材１が変形することなく各部位が適正な姿勢を保つことができる。従って、貫通孔１２１、１７１によって、第１上板部１２及び第２上板部１７の建物１００への取り付け、及び第１上板部１２及び第２上板部１７を互いに固定することが一度の作業で行うことができ、取付け作業が容易になっている。
【００５２】
（軒天換気材１における空気の流れ）
以下に、図１及び図３を用いて、軒天換気材１における空気の流れを説明する。図１の一点鎖線で示すように、軒天換気材１において、係止部１５の下端（下側第２部位１５２２の前縁）と底板部１０の後縁との間から、空気が入り込む。この空気は、底板部１０と前板部１１と第２上板部１７と第２傾斜板部１６とに囲まれた軒天換気材１の内部空間Ｏ１を通過して、第２通気孔１６１から、第２傾斜板部１６と第１上板部１２と第１傾斜板部１３と第１部位１５１とに囲まれた軒天換気材１の内部空間Ｏ２とに入り込む。内部空間Ｏ２に入り込んだ空気は、第１通気孔１３１を介して、小屋裏４００に入り込む。この様にして、小屋裏４００が換気される。
【００５３】
（軒天換気材１の製造方法）
以下に、図３及び図５を用いて、軒天換気材１の製造方法の一例を説明する。図６は、
軒天換気材１を形成するための金属板１０００を示す。まず、平面視で長方形の金属板１０００に対して、図６で示すように、複数の取付け用孔１０１と、複数の貫通孔１２１と、複数の第１通気孔１３１と、複数の第２通気孔１６１と、複数の貫通孔１７１とを形成する。そして、金属板１０００を屈曲部ｋ１、ｋ２で谷折りすることで、後縁が二重に形成された底板部１０を形成する。そして、金属板１０００を屈曲部ｋ３で谷折りすることで、前板部１１を形成する。この後、金属板１０００を屈曲部ｋ４で谷折りすることで、第１上板部１２を形成する。金属板１０００を屈曲部ｋ５で山折りすることで、第１傾斜板部１３を形成する。そして、金属板１０００を屈曲部ｋ６で谷折りして更に屈曲部ｋ７で山折りして、二重の雨返し板部１４を形成する。そして、金属板１０００を屈曲部ｋ８で山折りすることで、第１部位１５１を形成する。金属板１０００を屈曲部ｋ９、ｋ１０で谷折りして、二重の第２部位１５２を形成する。この後、金属板１０００を屈曲部ｋ１１で山折りし、屈曲部ｋ１２で谷折りし、屈曲部ｋ１３、ｋ１４で山折りすることで、中途に横板部１８が形成された第２傾斜板部１６を形成するとともに、第２上板部１７を形成する。
【００５４】
（軒天換気材１の建物１００への取付け方法）
以下に、図１及び図３を用いて、軒天換気材１の建物１００への取付け方法を説明する。まず、一端がビス等によって際野縁に固定された軒天板部材８００の他端と、鼻隠し６００との間に、軒天換気材１を挿入する。ここで、第１上板部１２の上面が鼻隠し用下地６００Ａの下面に接触し、かつ、前板部１１の前面が鼻隠し６００の背面に接触するように配置され、雨返し板部１４（下側雨返し板部１４２の下面）と第２部位１５２（上側第２部位１５２１の上面）との間に軒天板部材８００の他端が嵌るよう、軒天換気材１は挿入される。この状態で、底板部１０に形成された取付け用孔１０１を介して、ビス等の固定部材７００を軒天換気材１内に挿入して、固定部材７００を軒天換気材１の内部から、第１上板部１２の貫通孔１２１と第２上板部１７の貫通孔１７１に挿入して鼻隠し用下地６００Ａに打ち込む。この様にして、第１上板部１２と第２上板部１７とを鼻隠し用下地６００Ａに固定することによって、軒天換気材１が建物１００に取付けられる。
【００５５】
上述した軒天換気材１の建物１００への取付け方法では、軒天換気材１を軒先に取り付ける方法を説明したが、壁際に取り付けてもよい。この場合には、軒天換気材１は、第１上板部１２及び第２上板部１７は、鼻隠し用下地６００Ａに代えて、際野縁の下面に上述した方法によって取り付けられる。なお、この場合には、軒天板部材８００の一端が、際野縁の下面に代えて鼻隠し用下地６００Ａの下面に取り付けられ、その他端が係止部１５によって上述した方法によって取り付けられる。
【００５６】
（変形例）
上述した軒天換気材１の各構成部（底板部１０、前板部１１、第１上板部１２、第１傾斜板部１３、雨返し板部１４、係止部１５、第２傾斜板部１６、第２上板部１７及び横板部１８）の寸法は適宜変更することができ、図６で示すように、軒天換気材１の形状を適宜変形することができる。なお、図６は、変形例に係る軒天換気材１´の断面図である。この断面図は、図３の断面図と同様の切断位置で切断し、かつ、図３の断面図と同じ方向から視認した断面図である。なお、図６において、本実施形態に係る軒天換気材１の構成部に対応する構成部には、本実施形態に係る軒天換気材１の構成部と同じ符号に「´」を加えて記載する。
【符号の説明】
【００５７】
１、１´                      軒天換気材
１０、１０´                  底板部
１１、１１´                  前板部
１２、１２´                  第１上板部
１３、１３´                  第１傾斜板部
１３１、１３１´              第１通気孔
１４、１４１´                雨返し板部
１５、１５１´                係止部
１６、１６´                  第２傾斜板部
１６１、１６１´              第２通気孔１６１
１７、１７´                  第２上板部
１８、１８´                  横板部
１０００                      金属板
【図１】
2016008452.tif 000003
【図２】
2016008452.tif 000004
【図３】
2016008452.tif 000005
【図４】
2016008452.tif 000006
【図５】
2016008452.tif 000007
【図６】
2016008452.tif 000008